(57)【特許請求の範囲】
【請求項１】
前壁の下側に開口を形成した箱状の製氷部ケースと、この製氷部ケースの下端部に取り付けられた製氷水タンクと、前記製氷部ケース内の下部に取り付けられ散水ポンプにより供給された前記製氷水タンク内の製氷水を上方に噴出する噴出口を有する散水ノズルと、前記製氷部ケース内の上部に取り付けられ前記噴出口から上方に噴出される製氷水を受けて氷塊を生成する製氷室よりなり、前記製氷部ケースは互いに平行な壁板部をそれぞれ備えた左右１対のブラケットを有し、前記各壁板部の下縁には左右両側に突出して前後方向に延び内側にタンク支持溝が設けられるとともに前端面が前記壁板部の前縁より後方に位置する張出部を形成し、前記製氷水タンクは前記各壁板部よりも外側に位置する側壁を有する両側の支持部を前記各タンク支持溝内に挿入支持してなる製氷機構部を備えてなる自動製氷機において、前記各壁板部の前下隅角部には同壁板部の下縁の前記張出部の前端面よりも前側となる位置から所定距離立ち上がる立上り面とこの立上り面の上端から前下がりに傾斜する傾斜面よりなる切欠部を形成したことを特徴とする自動製氷機の製氷機構部。
【請求項２】
請求項１に記載の自動製氷機の製氷機構部において、前記製氷水タンクの側壁は前記張出部の前端面より前側の部分の上縁を前記タンク支持溝内に挿入される部分の上縁よりも高くし、前記立上り面の上端の位置は前記側壁の前記前側の部分の上縁よりも低くしたことを特徴とする自動製氷機の製氷機構部。
【請求項３】
請求項２に記載の自動製氷機の製氷機構部において、前記製氷部ケースに揺動自在に吊下げ支持されて前記開口を開放自在に閉じるセパレータをさらに備え、前記製氷水タンクの前側の立上り壁の上縁は閉じられた前記セパレータの下縁に対し所定の隙間をおいて前下方に位置させ、前記製氷水タンクの前記側壁の前記前側の部分の上縁は前記立上り壁の上縁と高さを揃えたことを特徴とする自動製氷機の製氷機構部。
【請求項４】
請求項１〜請求項３のいずれか１項に記載の自動製氷機の製氷機構部において、前記各壁板部の前記タンク支持溝の上側となる内面から内向きに突出して形成され前記散水ノズルの両端部を支持するノズル支持溝の上側部材を構成する突出板の前端は前記張出部の前端面より前方に位置せしめ、前記切欠部の立上り面は前記張出部の前端面と前記突出板の前端との間に位置せしめたことを特徴とする自動製氷機の製氷機構部。
【発明の詳細な説明】
【０００１】
【発明の属する技術分野】
本発明は、自動製氷機の製氷機構部、特にその製氷部ケース構造の改良に関する。
【０００２】
【従来の技術】
この種の自動製氷機の製氷機構部としては、図１、図１０（図１の５−５断面図に相当）〜図１３に示すようなものがある。これは前壁１７の下側に開口Ｂａを形成した箱状の製氷部ケースＢの下端部に製氷水タンク３０を水平方向から挿入離脱可能に取り付け、この製氷水タンク３０内の製氷水を散水ポンプ４５により吸入して製氷部ケースＢ内の下部に設けた散水ノズル４０に送り、散水ノズル４０の噴出口４３から上方に噴出された製氷水を製氷部ケースＢ内の上部に設けた製氷室の製氷セルにより受けて所定形状の氷塊を製造し、製氷後に製氷セルから落下する氷塊は製氷部ケースの中間部に設けたアイスシュート６０により受け止めて前下方に滑らせ、自重により垂れ下がって製氷部ケースＢの前側の開口Ｂａを閉じているセパレータ２５を押し開いて製氷部ケースＢ内から下方の貯氷庫７２（図４参照）内に落とし込むようにしたものである。製氷部ケースＢは互いに平行な壁板部１０ｂを備えた左右１対のブラケット１０Ｌ，１０Ｒを有し、各壁板部１０ｂの下縁には左右両側に突出して前後方向に延び内側にタンク支持溝１１が設けられるとともに前端面５が壁板部１０ｂの前縁より後方に位置する張出部１０ａが形成され、製氷水タンク３０は両側の各支持部３０ａを前側から各タンク支持溝１１挿入して支持される。
【０００３】
図１および図１０に示すように、製氷水タンク３０の前側の立上り壁３０ｂの上縁は垂れ下がったセパレータ２５の下縁に対し所定の隙間をおいて前下方に位置している。製氷水タンク３０の両側の支持部３０ａの側壁３０ｃは各壁板部１０ｂより外側に位置しており、この側壁３０ｃの上縁は、張出部１０ａの前端面５より前側となる前部では立上り壁３０ｂの上縁と同じ高さであり、それより後側ではタンク支持溝１１内に挿入可能となるように前部より低くなっている。また各ブラケット１０Ｌ，１０Ｒの壁板部１０ｂの前下隅角部には張出部１０ａの前端面５から所定距離立ち上がる立上り面Ｙ１とその上端から前に延びる水平面Ｙ２よりなる切欠部Ｙが形成されている。壁板部１０ｂは製氷水タンク３０の側壁３０ｃより内側であるので、壁板部１０ｂの前下隅角部に設けた切欠部Ｙの外側は側壁３０ｃの前部により覆われている。各壁板部１０ｂに形成されて散水ノズル４０の両端部を支持するノズル支持溝１２の上側部材である突出板１３ｃの前端は、張出部１０ａの前端面５より前方に位置している。
【０００４】
【発明が解決しようとする課題】
製氷運転の際に散水ノズル４０の噴出口４３から製氷室の製氷セルに向けて上方に噴出された製氷水は製氷セル内に氷結された分を除き落下して製氷水タンク３０内に戻され、この際に相当量の製氷水は製氷部ケースＢの内面に沿って流れ落ちる。製氷部ケースＢの前壁１７からセパレータ２５に沿って流れ落ちる製氷水はセパレータ２５の下縁から製氷水タンク３０内に戻され、後壁２０（図２参照）に沿って流れ落ちる製氷水も問題なく製氷水タンク３０内に戻される。左右のブラケット１０Ｌ，１０Ｒから壁板部１０ｂに沿って流れ落ちる製氷水のうち、張出部１０ａの前端面５より後側のものも問題なく製氷水タンク３０内に戻される（図１２参照）。
【０００５】
しかしながら張出部１０ａの前端面５より前側となる壁板部１０ｂの内面に沿って流れ落ちる製氷水は、突出板１３ｃにより前側に導かれることもあり、突出板１３ｃの前縁より前側に流れ落ち、図１０に示すように切欠部Ｙの水平面Ｙ２に達する。この製氷水の大部分は水平面Ｙ２から下方に離れて製氷水タンク３０内に戻される（図１１および図１３参照）が、水平面Ｙ２に達した製氷水の一部は、図１０の矢印に示すように、壁板部１０ｂの下縁となる水平面Ｙ２を伝って後方に移動し、さらに立上り面Ｙ１を伝って下方に流れる。立上り面Ｙ１を伝って下方に流れる製氷水は、図１２の矢印に示すように、張出部１０ａの前端面５の上部に達して内向きと外向きの流れに分かれ、内向きに流れたものは支持突起１３ｂの前面を伝って製氷水タンク３０内に戻される。しかしながら、前端面５の上部を伝って外向きに流れた製氷水は製氷水タンク３０の側壁３０ｃの上縁を乗り越え、製氷水タンク３０の外側となる張出部１０ａの前端面５の外側部に沿って流れ落ち、張出部１０ａの前下部に形成した切欠面６の水平部およびその後端部から水滴となって製氷機構部の下方に落ちる。製氷機構部の下側には開口Ｂａから送り出された所定形状の氷塊を貯蔵する貯氷庫を設けるのが普通であるので、このような水滴により貯氷庫内に貯蔵された氷塊が溶解され、また再氷結により複数の氷塊どうしが一塊りに結合されるという問題が生じる。
【０００６】
本発明は、製氷部ケースの左右の壁板部の前下隅角部に形成する切欠部の形状を工夫することによりこのような問題を解決することを目的とする。
【０００７】
【課題を解決するための手段】
本発明による自動製氷機の製氷機構部は、前壁の下側に開口を形成した箱状の製氷部ケースと、この製氷部ケースの下端部に取り付けられた製氷水タンクと、製氷部ケース内の下部に取り付けられ散水ポンプにより供給された製氷水タンク内の製氷水を上方に噴出する噴出口を有する散水ノズルと、製氷部ケース内の上部に取り付けられ噴出口から上方に噴出される製氷水を受けて氷塊を生成する製氷室よりなり、製氷部ケースは互いに平行な壁板部をそれぞれ備えた左右１対のブラケットを有し、各壁板部の下縁には左右両側に突出して前後方向に延び内側にタンク支持溝が設けられるとともに前端面が壁板部の前縁より後方に位置する張出部を形成し、製氷水タンクは各壁板部よりも外側に位置する側壁を有する両側の支持部を各タンク支持溝内に挿入支持してなる製氷機構部を備えてなる自動製氷機において、各壁板部の前下隅角部には同壁板部の下縁の張出部の前端面よりも前側となる位置から所定距離立ち上がる立上り面とこの立上り面の上端から前下がりに傾斜する傾斜面よりなる切欠部を形成したことを特徴とするものである。
【０００８】
前項の発明の製氷水タンクの側壁は張出部の前端面より前側の部分の上縁をタンク支持溝内に挿入される部分の上縁よりも高くし、立上り面の上端の位置は側壁の前側の部分の上縁よりも低くすることが好ましい。
【０００９】
前項の発明は、製氷部ケースに揺動自在に吊下げ支持されて開口を開放自在に閉じるセパレータをさらに備え、製氷水タンクの前側の立上り壁の上縁は閉じられたセパレータの下縁に対し所定の隙間をおいて前下方に位置させ、製氷水タンクの側壁の前側の部分の上縁は立上り壁の上縁と高さを揃えることが好ましい。
【００１０】
前各項の発明は、各壁板部のタンク支持溝の上側となる内面から内向きに突出して形成され散水ノズルの両端部を支持するノズル支持溝の上側部材を構成する突出板の前端は張出部の前端面より前方に位置せしめ、切欠部の立上り面は張出部の前端面と突出板の前端との間に位置せしめることが好ましい。
【００１１】
【発明の実施の形態】
以下に、図１〜図９に示す実施の形態により、本発明の説明をする。この実施の形態の自動製氷機は、図４に示すように、自動製氷機本体７０とその内部の上部に設けられた製氷機構部Ａなるものである。自動製氷機本体７０は、前側板７１ａと後側板７１ｂと左右の両側板７１ｃと底板７１ｄよりなる機械室７１と、断熱性の厚い周壁よりなり上面と前面上半部が開放された箱状で機械室７１の上側に支持された貯氷庫７２と、貯氷庫７２の上面および前面上部をそれぞれ覆う断熱性の天井板７３および上部正面板７５と、機械室７１の前面と貯氷庫７２の下部前面を覆う下部正面板７４と、下縁部が下部正面板７４の上縁にヒンジ７６ａを介して取り付けられて下部正面板７４と上部正面板７５の間に形成される開口を開閉する断熱性の扉７６よりなり、扉７６の上縁と内面の外縁部にはそれぞれ把手７６ｂおよびパッキン７６ｃが取り付けられている。機械室７１内には冷却された冷媒を製氷機構部Ａに供給するための圧縮機、凝縮器、冷却ファンよりなる冷凍機など（図示省略）が設けられ、また貯氷庫７２の底部に設けた排水口７２ａに連結した排水ホース（図示省略）はこの機械室７１内を通って外部に導出されている。
【００１２】
製氷機構部Ａの製氷部ケースＢは左右のブラケット１０Ｌ，１０Ｒを有しており、各ブラケット１０Ｌ，１０Ｒ下部より左右両側に突出する張出部１０ａは後方に突出しており、貯氷庫７２の後壁の内面のやや上部に固定した支持部材７７にこの張出部１０ａの突出部を載せ、さらに左右のブラケット１０Ｌ，１０Ｒを天井板７３にボルト止めすることにより、製氷機構部Ａは貯氷庫７２内の上部に支持されている。張出部１０ａよりも上方となる製氷機構部Ａの後面と貯氷庫７２の後壁の間には相当な隙間があり、この部分にはアキュムレータ７８、給水や冷媒の配管、電気配線などが設けられている。
【００１３】
製氷機構部Ａは、図１および図２に示すように、製氷部ケースＢと、その下端部に設けられた製氷水タンク３０と、製氷部ケースＢ内の下部と上部と中間部にそれぞれ設けられた散水ノズル４０、製氷室５０およびアイスシュート６０により構成されている。製氷部ケースＢは全体として箱状で、主として左右１対のブラケット１０Ｌ，１０Ｒと、その前後縁を連結する前壁１７と後壁２０により構成されている。前壁１７の上下幅は後壁２０よりもかなり小さいので製氷部ケースＢの前側の下半部には開口Ｂａが形成され、この開口Ｂａは後述するように開閉自在なセパレータ２５により閉じられている。
【００１４】
図１および図２に示すように、左右の各ブラケット１０Ｌ，１０Ｒは、前側から見た形状が全体として上部が外向きに折曲された倒立Ｌ字形状で、それぞれの下半部内側には互いに平行な壁板部１０ｂが形成され、またそれぞれの外側には上下方向に延びる各４枚の補強リブ１４ａ，１４ｂおよび１４ｃが形成されている。各ブラケット１０Ｌ，１０Ｒの下部には外側に突出して前後方向に水平に延びる内向きコ字断面形状の張出部１０ａが形成され、張出部１０ａの下縁と上縁には内側に延びる下フランジ１３ａと支持突起１３ｂが形成されている。この張出部１０ａは、前端面１０ａ１が壁板部１０ｂの前縁より後方に位置しており、また後端部は後壁２０よりも後方に突出し、下フランジ１３ａと支持突起１３ｂの間に形成されるタンク支持溝１１も後壁２０より後方に延びている。支持突起１３ｂの上面は後部が上昇するように傾斜され、この上面と間をおいて平行に延びるように各ブラケット１０Ｌ，１０Ｒに内向きに突出して形成された突出板１３ｃとの間に形成されるノズル支持溝１２は、後壁２０の手前で止まっている。支持突起１３ｂの前端は張出部１０ａの前端面１０ａ１と壁板部１０ｂの前縁のほゞ中間位置まで前方に延びており、突出板１３ｃの前端も支持突起１３ｂの前端と同位置まで前方に延びている。
【００１５】
左右のブラケット１０Ｌ，１０Ｒの各壁板部１０ｂの前下隅角部には、切欠部Ｘが形成されている。この切欠部Ｘは、各壁板部１０ｂの下縁の張出部１０ａの前端面１０ａ１よりも前側となる位置から所定距離立ち上がる立上り面Ｘ１と、この立上り面の上端から前下がりに傾斜する傾斜面Ｘ２よりなるものである。この実施の形態では、立上り面Ｘ１は支持突起１３ｂの前端となる位置から立ち上がっているが、立上り面Ｘ１の立上り位置は支持突起１３ｂの前端と一致させる必要はない。この立上り面Ｘ１の立上り位置は、二点鎖線Ｘ１ａに示すように、張出部１０ａの前端面１０ａ１と突出板１３ｃの前端の間ならばどこでも差し支えない。
【００１６】
突出板１３ｃより上方となる各壁板部１０ｂの内面の前後部に形成される円形の支持突起１４ｅは、前側のものの方が後側のものより低く位置している。左ブラケット１０Ｌの下部には、後述するドレンパン３７および散水ポンプ４５を取り付ける延長部１６が一体的に形成されている。左ブラケット１０Ｌの壁板部１０ｂには、中央の４枚の補強リブ１４ａの間に位置して、製氷水を散水ノズル４０に送る給水ホース４７を通す挿通穴１５が形成されている（図１、図３参照）。
【００１７】
前壁１７はブラケット１０Ｌ，１０Ｒよりも上下幅がかなり狭い長方形の合成樹脂板であり、その上縁およびやや下部の前側は横方向に延びるリブ１７ａ，１７ｂにより補強され、下縁には横方向に伸びる丸棒状の枢支ロッド１８が一体的に形成されている。製氷部ケースＢの前側の下半部の開口Ｂａを開閉するセパレータ２５は、後述する散水ノズル４０の噴出口４３および製氷室５０の製氷セル５２の列数と同じ６個に分割され、それぞれ縦長の平板部２５ａとその上縁に形成したＣ形断面形状の係合部２５ｂよりなっている。各セパレータ２５は、係合部２５ｂを前壁１７の下縁に形成したスリット１９（図２参照）に差し込んで、枢支ロッド１８の外周面に回動自在に係合することにより、揺動自在に吊下げ支持される。
【００１８】
後壁２０は、製氷部ケースＢの後側を実質的に閉じる上下幅を有する長方形の合成樹脂板であり、その上縁は横方向に延びるリブ２０ａにより補強され、下縁には後方に延びて後述する製氷水タンク３０の後部の上側の大部分を覆うカバー２１が一体的に形成されている。このカバー２１には、製氷水タンク３０に製氷水を供給する供給ホースを通すための切欠き（何れも図示省略）が形成されている。
【００１９】
これらの各ブラケット１０Ｌ，１０Ｒ、前壁１７および後壁２０は、何れも合成樹脂により一体的に成形されている。この実施の形態では、左右の各ブラケット１０Ｌ，１０Ｒは、各支持突起１４ｅにシュート支持筒２４の両端部を挿入し、前後縁に形成した溝に前壁１７および後壁２０の両端を挿入して機械的に抜止め結合しているが、接着により結合してもよい。
【００２０】
製氷水タンク３０は、図１および図２に示すように、正面から見て中央部の左側が下方に凹んだ略三角形状で上側が解放された箱形で、その左右両側に張り出した浅い支持部３０ａを前述した製氷部ケースＢのタンク支持溝１１に前側から挿入することにより着脱可能に支持されている。製氷水タンク３０の各支持部３０ａの外側の各側壁３０ｃは、左右のブラケット１０Ｌ，１０Ｒの各壁板部１０ｂよりも外側に位置している。製氷水タンク３０のもっとも深い部分は左ブラケット１０Ｌ側に位置しており、この部分の前部には左ブラケット１０Ｌ側に突出する給水口３３が形成されている。また左ブラケット１０Ｌ側の支持部３０ａに接近した浅い部分の底面には前後方向中間部（図３参照）にオーバフロー穴３４が形成されている。主として図５に示すように、製氷水タンク３０の前面に形成した立上り壁３０ｂは、その上縁が各セパレータ２５の下縁に対し比較的小さい所定の隙間をおいて前下方となる位置まで、上方に延ばされている。また左右の支持部３０ａの外側の側壁３０ｃは張出部１０ａの前端面１０ａ１より前側の部分の上縁を立上り壁３０ｂの上縁と同じ高さとし、タンク支持溝１１内に挿入支持される部分の上縁はこれより低くなっている。壁板部１０ｂは製氷水タンク３０の側壁３０ｃより内側であるので、左右の各壁板部１０ｂの前下隅角部に形成されて、各壁板部１０ｂの下縁から所定距離立ち上がる立上り面Ｘ１と、この立上り面の上端から前下がりに傾斜する傾斜面Ｘ２よりなる切欠部Ｘの外側は、製氷水タンク３０の立上り壁３０ｂと同じ高さとなる側壁３０ｃの前部により完全に覆われる。
【００２１】
図１、図２および図３に示すように、左ブラケット１０Ｌの下側には、前後方向中間部よりも後側でかつ製氷水タンク３０の給水口３３を設けた部分よりも左側に位置して、ドレンパン３７が設けられている。このドレンパン３７は左ブラケット１０Ｌ下部の延長部１６の下側に形成した突出部１６ａ（図１参照）にねじ止め固定され、ドレンパン３７の底部に設けた排出口３８には排水パイプ３９が接続されている。この排水パイプ３９の先端は、貯氷庫７２の底部に設けた排水口７２ａに導かれている。
【００２２】
図１および図３に示すように、左ブラケット１０Ｌの延長部１６の下面にボルト止め固定された散水ポンプ４５はドレンパン３７の内側に位置しており、散水ポンプ４５のポンプ部４５ａの吸入口４５ｂはドレンパン３７から前方に突出して吸入管４６が連結され、吸入管４６の他端は着脱が容易な管継ぎ手４６ａを介して製氷水タンク３０の給水口３３に接続されている。ポンプ部４５ａの吐出口４５ｃは給水ホース４７を介して次に述べる散水ノズル４０に接続されている。製氷水タンク３０のオーバフロー穴３４は、ドレンパン３７内の一部に上下方向に形成した仕切通路３７ａの上方に位置している。
【００２３】
散水ノズル４０は上下１対の合成樹脂成形品を全体として扁平形状となるように超音波溶着により液密に結合したもので、互いに連通される縦横の管状通路よりなり、その上面には２４個の噴出口４３が４行６列に形成されている。散水ノズル４０の一側には横方向の各管状通路を掃除するための２つの開口が形成され、各開口はシリコンゴム製のキャップ４２により液密に閉じられている。この散水ノズル４０は、左右両端部が製氷部ケースＢのノズル支持溝１２内に前側から挿入されて取り付けられ、その中央部上側に形成した給水口には給水ホース４７の他端が接続されている。
【００２４】
製氷部ケースＢ内の上部に位置する製氷室５０は、図２に示すように、両端が左右の各ブラケット１０Ｌ，１０Ｒの上部に支持された製氷基板５１に、下側が開口された短くて丸い筒状の２４個の製氷セル５２を、散水ノズル４０の各噴出口４３と整列して固定したものである。各製氷セル５２および製氷基板５１は熱伝導性のよい銅またはアルミニウムのような金属製であり、製氷基板５１の上側には各製氷セル５２の中心を通るように冷却パイプ５３が蛇行して密着固定され、この冷却パイプ５３には機械室７１内の冷凍機からの冷媒が循環供給されて製氷セル５２を冷却するようになっている。
【００２５】
アイスシュート６０は、図１および図２に示すように、縦方向に並んだ多数の細長いスライド板７１の前後端および中間部を連結材６２ａ，６２ｂ，６２ｃにより連結し、前後部の下面を各１対の横方向の支持脚片６３により連結した簀の子状のもので、全体が合成樹脂により一体成形されている。このアイスシュート６０は各１対の支持脚片６３を２本のシュート支持筒２４の外周面に弾性的に係合することにより、散水ノズル４０のすぐ上側で前下がりに傾斜するように製氷部ケースＢ内に着脱可能に支持され、各スライド部材６１の間の隙間は散水ノズル４０の各噴出口４３と整列され、各噴出口４３から噴出される製氷水がアイスシュート６０により邪魔されないようになっている。
【００２６】
製氷運転に際しては、冷凍機を運転させて各製氷セル５２を冷却し、製氷水タンク３０内の製氷水を散水ポンプ４５により吸入し、給水ホース４７を介して散水ノズル４０に供給して各噴出口４３から各製氷セル５２に向けて上方に噴出する。噴出された製氷水はアイスシュート６０の各スライド部材６１の間を通って冷却された各製氷セル５２の内面に当てられて一部はその内面に氷結され、残りは重力により製氷水タンク３０内に戻され、再び散水ポンプ４５により散水ノズル４０に供給され、繰り返して製氷セル５２の内面に向けて噴出されるので、時間の経過につれて各製氷セル５２内に氷結される氷は次第に多くなり、製氷水タンク３０内の製氷水のレベルは次第に低下する。
【００２７】
製氷セル５２内が氷によりほゞ充満されたところで、製氷運転を停止して冷却パイプ５３にホットガスを導入すれば、製氷室５０は加熱されて各製氷セル５２とその内部に生成された氷との境界部が溶解するので、各製氷セル５２内の氷は短い円柱状の氷塊となってアイスシュート６０上に落下し、セパレータ２５に向かって斜め前下方に滑り落ちる。そして重力により垂れ下がって閉じられているセパレータ２５を自動的に押し開いて製氷部ケースＢ内から貯氷庫７２内に落し込まれる。
【００２８】
製造された氷塊が全て貯氷庫７２内に落し込まれたところで、供給ホース（図示省略）により所定量の製氷水を製氷水タンク３０内に供給し、再び冷凍機を運転させ製氷室５０を冷却し、散水ノズル４０から製氷水を噴出させて製氷運転を繰り返し行う。製氷水を供給する際に製氷水タンク３０内の製氷水のレベルがオーバフロー穴３４よりも高くなれば、余分の製氷水はオーバフロー穴３４からドレンパン３７内に排出され、排水パイプ３９を通って外部に排出される。
【００２９】
製氷運転の際に散水ノズル４０の噴出口４３から製氷室５０の製氷セル５２に向けて上方に噴出された製氷水は製氷セル５２内に氷結された分を除き重力により落下して製氷水タンク３０内に戻され、この際に相当量の製氷水は製氷部ケースＢの内面に沿って流れ落ちる。製氷水タンク３０の前面に形成した立上り壁３０ｂの上縁は、各セパレータ２５の下縁に対し比較的小さい所定の隙間をおいて前下方となる位置まで上方に延ばされているので、製氷部ケースＢの前壁１７からセパレータ２５に沿って流れ落ちる製氷水は、ほとんど洩れることなくセパレータ２５の下縁から製氷水タンク３０内に戻される。また後壁２０（図２参照）に沿って流れ落ちる製氷水も洩れることなく製氷水タンク３０内に戻される。左右のブラケット１０Ｌ，１０Ｒから壁板部１０ｂに沿って流れ落ちる製氷水のうち、張出部１０ａの前端面１０ａ１より後側のものも問題なく製氷水タンク３０内に戻される（図８参照）。
【００３０】
この実施の形態では、図５に示すように、切欠部Ｘの立上り面Ｘ１は突出板１３ｃの前端とほゞ一致した位置にあるので、張出部１０ａの前端面１０ａ１より前側となる壁板部１０ｂの内面に沿って流れ落ちる製氷水は突出板１３ｃにより前側に導かれてその前縁より前側に流れ落ち、切欠部Ｘの傾斜面Ｘ２に達する。この製氷水の相当部分は壁板部１０ｂの下縁となる傾斜面Ｘ２から離れて落ち、残りは傾斜面Ｘ２に沿って前方に伝ってその前端から落ちいずれも製氷水タンク３０内に戻される。従って立上り面Ｘ１より後側となる壁板部１０ｂの下縁を伝って張出部１０ａの前端面１０ａ１に達し、前端面１０ａ１の上部を伝って外向きに流れて製氷水タンク３０の側壁３０ｃ（タンク支持溝１１に挿入される部分の前端部）の上縁を乗り越える製氷水の流れは生じないので、製氷水が製氷機構部Ａから洩れて貯氷庫７２内に落下することはなくなる。立上り面Ｘ１の立上り位置は、二点鎖線Ｘ１ａに示すように、張出部１０ａの前端面１０ａ１と突出板１３ｃの前端の間ならばどこでもよく、常に以上の作用効果が得られる。
【００３１】
またこの実施の形態では、製氷水タンク３０の前面に形成した立上り壁３０ｂは、その上縁が各セパレータ２５の下縁に対し比較的小さい所定の隙間をおいて前下方となる位置まで、上方に延ばすとともに、左右の側壁３０ｃは張出部１０ａの前端面１０ａ１より前側の部分の上縁を立上り壁３０ｂの上縁と同じ高さとしている。このようにすれば、製氷部ケースＢの前側のセパレータ２５の内面に沿って流れ落ちる製氷水も全てセパレータ２５の下縁から製氷水タンク３０内に戻され、また切欠部Ｘの外側は側壁３０ｃの前部により完全に覆われるので、壁板部１０ｂの前部の内面に沿って流れ落ちて切欠部Ｘの傾斜面Ｘ２に達した製氷水が側方にそれて製氷水タンク３０の外側に洩れることもなくなる。従ってこのような原因により製氷水が製氷機構部Ａから洩れて貯氷庫７２内に落下することもなくなる。
【００３２】
上述したように、この実施の形態によれば、製氷水が製氷機構部Ａから洩れて貯氷庫７２内に落下することはなくなるので、そのような水滴により貯氷庫内に貯蔵された氷塊が溶解されたり、また再氷結により複数の氷塊どうしが一塊りに結合されたりすることはなくなる。
【００３３】
【発明の効果】
本発明によれば、各壁板部の前下隅角部に形成する切欠部を、壁板部の下縁の張出部の前端面よりも前側となる位置から所定距離立ち上がる立上り面とこの立上り面の上端から前下がりに傾斜する傾斜面よりなるものとしたので、壁板部の前部の内面に沿って流れ落ちて切欠部の傾斜面に達した製氷水は、壁板部の下縁となる傾斜面から離れて落ちるか傾斜面に沿って前方に伝ってその前端から落ちいずれも製氷水タンク内に戻される。これにより、前述した従来技術のような張出部の前端面に達して製氷水タンクの側壁の上縁を乗り越えるような製氷水の流れはほとんど生じないので、製氷水が製氷機構部から水滴となって貯氷庫内に落下することはほとんどない。従ってこのような水滴により貯氷庫内に貯蔵された氷塊が溶解されたり、また再氷結により複数の氷塊どうしが一塊りに結合されたりするおそれは減少する。
【００３４】
製氷水タンクの側壁は張出部の前端面より前側の部分の上縁をタンク支持溝内に挿入される部分の上縁よりも高くし、立上り面の上端の位置は側壁の前側の部分の上縁よりも低くした発明によれば、切欠部の外側は側壁の前部により完全に覆われるので、壁板部の前部の内面に沿って流れ落ちて切欠部の傾斜面に達した製氷水が側方にそれて製氷水タンクの外側に洩れるおそれもなくなる。従って製氷機構部から洩れる水滴により貯氷庫内に貯蔵された氷塊が溶解されたり、また再氷結により複数の氷塊どうしが一塊りに結合されたりするおそれは一層減少する。
【００３５】
製氷部ケースに揺動自在に吊下げ支持されて開口を開放自在に閉じるセパレータをさらに備え、製氷水タンクの前側の立上り壁の上縁は閉じられたセパレータの下縁に対し所定の隙間をおいて前下方に位置させ、製氷水タンクの側壁の前側の部分の上縁は立上り壁の上縁と高さを揃えるようにした発明によれば、製氷部ケースの前側のセパレータの内面に沿って流れ落ちる製氷水もセパレータの下縁から製氷水タンク内に戻され、製氷部ケースから外に漏れることはない。従って製氷機構部から洩れる水滴により貯氷庫内に貯蔵された氷塊が溶解されたり、また再氷結により複数の氷塊どうしが一塊りに結合されたりするおそれはさらに一層減少する。
【００３６】
各壁板部のタンク支持溝の上側となる内面から内向きに突出して形成され散水ノズルの両端部を支持するノズル支持溝の上側部材を構成する突出板の前端は張出部の前端面より前方に位置せしめ、切欠部の立上り面は張出部の前端面と突出板の前端との間に位置せしめた発明によれば、壁板部の前部の内面に沿って流れ落ちる製氷水は全て切欠部の傾斜面に達して製氷水タンク内に戻され、張出部の前端面に達して製氷水タンクの側壁の上縁を乗り越えるような製氷水の流れは実質的に生じないので、製氷水が製氷機構部から水滴となって貯氷庫内に落下することはなくなる。従って製氷機構部から洩れる水滴により貯氷庫内に貯蔵された氷塊が溶解されたり、また再氷結により複数の氷塊どうしが一塊りに結合されたりするおそれはさらに一層減少する。
【図面の簡単な説明】
【図１】本発明による自動製氷機の製氷機構部の一実施形態の一部を破断して示す全体正面図である。
【図２】図１の右ブラケット付近を除いて示す右側面図である。
【図３】図１の左側面図である。
【図４】製氷機構部を備えた自動製氷機の全体構造を示す側断面図である。
【図５】図１の５−５線に沿った部分拡大断面図である。
【図６】図５の６−６断面図である。
【図７】図５の７−７断面図である。
【図８】図５の８−８断面図である。
【図９】図５の９−９断面図である。
【図１０】従来技術による製氷機構部の一例の図５に相当する部分拡大断面図である。
【図１１】図１０の１１−１１断面図である。
【図１２】図１０の１２−１２断面図である。
【図１３】図１０の１３−１３断面図である。
【符号の説明】
１０Ｌ，１０Ｒ…ブラケット、１０ａ…張出部、１０ａ１…前端面、１０ｂ…壁板部、１１…タンク支持溝、１２…ノズル支持溝、１３ｃ…突出板、２５…セパレータ、３０…製氷水タンク、３０ａ…支持部、３０ｂ…立上り壁、３０ｃ…側壁、４０…散水ノズル、４３…噴出口、４５…散水ポンプ、５０…製氷室、Ａ…製氷機構部、Ｂ…製氷部ケース、Ｂａ…開口、Ｘ…切欠部、Ｘ１…立上り面、Ｘ２…傾斜面。
【図１】
0004583624.tif 000002
【図２】
0004583624.tif 000003
【図３】
0004583624.tif 000004
【図４】
0004583624.tif 000005
【図５】
0004583624.tif 000006
【図６】
0004583624.tif 000007
【図７】
0004583624.tif 000008
【図８】
0004583624.tif 000009
【図９】
0004583624.tif 000010
【図１０】
0004583624.tif 000011
【図１１】
0004583624.tif 000012
【図１２】
0004583624.tif 000013
【図１３】
0004583624.tif 000014